(57)【特許請求の範囲】
【請求項１】
浴槽の浴槽水を浴槽に接続される循環路に強制的に取り出して加熱してから浴槽へ還流させる追焚運転を実行する自動風呂装置であって、
浴槽水の循環動作の有無に応じてオン・オフする水流スイッチと、循環路に導入された浴槽水の温度を検出する温度検出手段と、追焚指令が入力されると、前記水流スイッチのオン出力に応答して追焚運転の燃焼を開始し、オフ出力に応答して燃焼を中止するコントローラとを備え、
かつ、前記コントローラは、追焚運転での燃焼開始時点から燃焼中止時点までの経過時間を積算し、積算値が所要の基準値を超えたとき、追焚温度制御に移行する異常対処部を有する、ことを特徴とする自動風呂装置。
【請求項２】
前記コントローラの異常対処部は、燃焼開始時点から燃焼中止時点までの経過時間を積算する積算手段と、積算手段からの積算出力が所要の基準値を超えたか否かを判定する第１判定手段と、第１判定手段により超えたと判定したときに前記温度検出手段からの検出出力を取り込んでこの出力が所要の目標湯温以上か未満かを判定する第２判定手段と、第２判定手段で目標湯温以上であると判定したときに追焚運転を強制終了する実行手段とを含む、ことを特徴とする請求項１の自動風呂装置。
【請求項３】
浴槽の浴槽水を浴槽に接続される循環路に強制的に取り出して加熱してから浴槽へ還流させる追焚運転と、浴槽へ前記循環路を介して湯を落とし込む給湯運転とを実行する自動風呂装置であって、
浴槽水の循環動作の有無に応じてオン・オフする水流スイッチと、循環路に導入された浴槽水の温度を検出する温度検出手段と、追焚指令が入力されると、前記水流スイッチのオン出力に応答して追焚運転の燃焼を開始し、オフ出力に応答して燃焼を中止するコントローラとを備え、
かつ、前記コントローラは、追焚指令の入力後において水流スイッチのオフの経過時間を積算し、積算値が所要の基準値を超えたときに、半没状態（浴槽の水位が循環路の吸入口の上端付近かそれよりも若干低い状態）が原因の異常事態発生として半没状態から完没状態（浴槽の水位を循環路の吸入口の上端よりも確実に高い状態）とするべく給湯運転を実行させる異常対処部を有する、ことを特徴とする自動風呂装置。
【請求項４】
前記コントローラの異常対処部は、追焚指令の入力後において水流スイッチのオフの経過時間を積算する積算手段と、積算手段からの積算出力が所要の基準値を超えたか否かを判定する判定手段と、判定手段により超えたと判定したときに半没状態（浴槽の水位が循環路の吸入口の上端付近かそれよりも若干低い状態）が原因の異常事態発生として半没状態から完没状態（浴槽の水位を循環路の吸入口の上端よりも確実に高い状態）とするべく給湯運転を実行させる実行手段とを含む、ことを特徴とする請求項３の自動風呂装置。
【請求項５】
浴槽の浴槽水を浴槽に接続される循環路に強制的に取り出して加熱してから浴槽へ還流させる追焚運転と、浴槽へ前記循環路を介して湯を落とし込む給湯運転とを実行する自動風呂装置であって、
浴槽水の循環動作の有無に応じてオン・オフする水流スイッチと、循環路に導入された浴槽水の温度を検出する温度検出手段と、追焚指令が入力されると、前記水流スイッチのオン出力に応答して追焚運転の燃焼を開始し、オフ出力に応答して燃焼を中止するコントローラとを備え、
かつ、前記コントローラは、追焚指令の入力後において水流スイッチのオフの経過時間を積算し、積算値が所要の基準値を超えたときに、半没状態（浴槽の水位が循環路の吸入口の上端付近かそれよりも若干低い状態）が原因の異常事態発生として半没状態から完没状態（浴槽の水位を循環路の吸入口の上端よりも確実に高い状態）とするべく給湯運転を実行させる第１異常対処部と、
追焚運転での燃焼開始時点から燃焼中止時点までの経過時間を積算し、積算値が所要の基準値を超えたとき、追焚温度制御に移行する第２異常対処部とを有する、ことを特徴とする自動風呂装置。
【発明の詳細な説明】
【０００１】
【産業上の利用分野】
本発明は、浴槽の浴槽水を浴槽に接続される循環路に強制的に取り出して加熱してから浴槽へ還流させる追焚運転を実行する自動風呂装置に関する。
【０００２】
また、本発明は、浴槽の浴槽水を浴槽に接続される循環路に強制的に取り出して加熱してから浴槽へ還流させる追焚運転と、浴槽へ前記循環路を介して湯を落とし込む給湯運転とを実行する自動風呂装置に関する。
【０００３】
【従来の技術】
一般的に、浴槽に湯張りされた当初は、所望の湯温であっても、これをそのまま放置すれば、自然放熱によって次第に湯温が低下するし、この他、人が入浴した場合にも湯温が低下する。したがって、常に、所望の湯温を保持して快適な入浴を楽しむためには、浴槽の湯水を追い焚きすることが必要となる。
【０００４】
このようなことから、入浴者の要求に応じて或る湯温にまで追い焚きできる自動風呂装置や、或る湯温付近に保温する自動追い焚きのできる自動風呂装置が考えられている。
【０００５】
従来の自動風呂装置では、浴槽での空焚きを回避するという意味で、追焚運転が指令されると、まず、循環ポンプを駆動して、浴槽水が循環路を循環しているか否かを判定し、循環していると判定したときには追焚燃焼を開始させるが、循環していないと判定したときには追焚燃焼を開始させないようにしている。なお、前述の循環有無判定には、循環路の吸入側における流量に応じてオン・オフする可動接点を有する水流スイッチが利用されている。
【０００６】
この追焚燃焼の開始時点から一定時間（例えば３０秒間）が経過するのを待って、追焚温度制御に移行する。このように燃焼制御を追焚温度制御よりも優先するのは、追い焚き感を即座に味わえるようにするためである。
【０００７】
そして、追焚温度制御では、浴槽内の現在湯温と目標温度とを対比するが、現在湯温を正確に検出するという意味で、循環ポンプにより浴槽の浴槽水を所要時間について循環、撹拌して、温度センサが接触している循環路の湯水を浴槽内の浴槽水と入れ替えて、温度センサで測定するようにしている。
【０００８】
【発明が解決しようとする課題】
ところで、従来の自動風呂装置の追焚運転では、浴槽の水位が循環路の吸入口の上端付近かそれよりも若干低い半没状態のときに、問題が発生する。この半没状態は、主として入浴者が浴槽から湯をかき出すことにより発生し、循環ポンプの運転中に吸入口から浴槽水のみならず空気をも吸い込むことになる。
【０００９】
つまり、半没状態では、循環の有無判定を行うための水流スイッチがオン・オフを繰り返すという不安定な状態になるため、バーナの着火・消火をほぼ永遠に繰り返すようになってしまう。
【００１０】
このような状況では、一旦は必ずバーナが着火されるから、時間経過に伴い湯温が僅かずつながらも上昇することになり、ひいては、追焚の目標温度を超えて湯温が非常に高くなってしまうおそれがある。
【００１１】
また、このような状況では、無駄なガス燃焼が多くなることも指摘される。
【００１２】
したがって、本発明は、特に半没状態が原因となる湯温の異常な上昇を阻止して安全性を確保することを目的としている。
【００１３】
【課題を解決するための手段】
本発明の第１の自動風呂装置は、浴槽の浴槽水を浴槽に接続される循環路に強制的に取り出して加熱してから浴槽へ還流させる追焚運転を実行するもので、浴槽水の循環動作の有無に応じてオン・オフする水流スイッチと、循環路に導入された浴槽水の温度を検出する温度検出手段と、追焚指令が入力されると、前記水流スイッチのオン出力に応答して追焚運転の燃焼を開始し、オフ出力に応答して燃焼を中止するコントローラとを備え、かつ、前記コントローラは、追焚運転での燃焼開始時点から燃焼中止時点までの経過時間を積算し、積算値が所要の基準値を超えたとき、追焚温度制御に移行する異常対処部を有する。
【００１４】
なお、前述のコントローラの異常対処部は、燃焼開始時点から燃焼中止時点までの経過時間を積算する積算手段と、積算手段からの積算出力が所要の基準値を超えたか否かを判定する第１判定手段と、第１判定手段により超えたと判定したときに前記温度検出手段からの検出出力を取り込んでこの出力が所要の目標湯温以上か未満かを判定する第２判定手段と、第２判定手段で目標湯温以上であると判定したときに追焚運転を強制終了する実行手段とを含むものである。
【００１５】
本発明の第２の自動風呂装置は、浴槽の浴槽水を浴槽に接続される循環路に強制的に取り出して加熱してから浴槽へ還流させる追焚運転と、浴槽へ前記循環路を介して湯を落とし込む給湯運転とを実行するもので、浴槽水の循環動作の有無に応じてオン・オフする水流スイッチと、循環路に導入された浴槽水の温度を検出する温度検出手段と、追焚指令が入力されると、前記水流スイッチのオン出力に応答して追焚運転の燃焼を開始し、オフ出力に応答して燃焼を中止するコントローラとを備え、かつ、前記コントローラは、追焚指令の入力後において水流スイッチのオフの経過時間を積算し、積算値が所要の基準値を超えたときに、半没状態（浴槽の水位が循環路の吸入口の上端付近かそれよりも若干低い状態）が原因の異常事態発生として半没状態から完没状態（浴槽の水位を循環路の吸入口の上端よりも確実に高い状態）とするべく給湯運転を実行させる異常対処部を有する。
【００１６】
なお、前述のコントローラの異常対処部は、追焚指令の入力後において水流スイッチのオフの経過時間を積算する積算手段と、積算手段からの積算出力が所要の基準値を超えたか否かを判定する判定手段と、判定手段により超えたと判定したときに半没状態（浴槽の水位が循環路の吸入口の上端付近かそれよりも若干低い状態）が原因の異常事態発生として半没状態から完没状態（浴槽の水位を循環路の吸入口の上端よりも確実に高い状態）とするべく給湯運転を実行させる実行手段とを含む。
【００１７】
本発明の第３の自動風呂装置は、浴槽の浴槽水を浴槽に接続される循環路に強制的に取り出して加熱してから浴槽へ還流させる追焚運転と、浴槽へ前記循環路を介して湯を落とし込む給湯運転とを実行するもので、浴槽水の循環動作の有無に応じてオン・オフする水流スイッチと、循環路に導入された浴槽水の温度を検出する温度検出手段と、追焚指令が入力されると、前記水流スイッチのオン出力に応答して追焚運転の燃焼を開始し、オフ出力に応答して燃焼を中止するコントローラとを備え、かつ、前記コントローラは、追焚指令の入力後において水流スイッチのオフの経過時間を積算し、積算値が所要の基準値を超えたときに、半没状態（浴槽の水位が循環路の吸入口の上端付近かそれよりも若干低い状態）が原因の異常事態発生として半没状態から完没状態（浴槽の水位を循環路の吸入口の上端よりも確実に高い状態）とするべく給湯運転を実行させる第１異常対処部と、追焚運転での燃焼開始時点から燃焼中止時点までの経過時間を積算し、積算値が所要の基準値を超えたとき、追焚温度制御に移行する第２異常対処部とを有する。
【００１８】
【作用】
第１の自動風呂装置では、要するに、例えば半没状態が原因となって水流スイッチがオン・オフを繰り返したときに、燃焼の開始・中止を繰り返すので、その開始から中止までの経過時間を積算することにより、この異常事態の発生を検出するようにし、この検出に伴い温度制御に移行させるようにしている。これにより、前記異常事態により僅かずつ上昇する湯温が目標温度を超えなくなる。
【００１９】
第２の自動風呂装置では、要するに、例えば半没状態が原因となって水流スイッチがオン・オフを繰り返したときに、そのオフ時間を積算することにより、この異常事態の発生を検出するようにし、この検出に伴い浴槽へ足し湯をすることにより半没状態から完没状態にと適正に回復させるようにしている。これにより、正常な追焚運転を行えるようになる。
【００２０】
第３の自動風呂装置では、前述の第１、第２の自動風呂装置の両方の機能を含むもので、水流スイッチがオン・オフを繰り返したときに、オン（燃焼）の積算時間とオフ（非燃焼）の積算時間の大小によって前述の第１、第２の自動風呂装置の機能のいずれかを選択するので、異常事態を早く解消できるようになる。
【００２１】
このように、本発明では、浴槽水の水位が半没状態であっても、追焚指令がされると、追焚そのものの目的を安全を確保しながら達成できるようになる。
【００２２】
【実施例】
以下、本発明の詳細を図１および図２に示す実施例に基づいて説明する。図１は、本発明の実施例に係る自動風呂装置の構成図、図２は、追焚運転モードの動作説明に供するフローチャートである。
【００２３】
この実施例の自動風呂装置は、給湯回路Ａ、追焚回路Ｂ、風呂落込回路Ｃ、コントローラＤおよび、リモコン装置Ｆを主体に構成されている。
【００２４】
給湯回路Ａは、上水道からの入水を沸かして浴槽Ｅや図示しないカランなどに給湯するためのものであって、熱交換器２を備え、この熱交換器２の前後に接続された入水路４と出湯路６との間がバイパス路８で接続され、このバイパス路８の途中に電磁開閉式のバイパス弁１０が設けられている。
【００２５】
さらに、給湯回路Ａは、その入水路４側に、入水温度Ｔｃを検出する温度センサ１２、および熱交換器２への入水量Ｑｃを検出する水量センサ１４が設けられ、また、その出湯路６側に、熱交換器２からの湯とバイパス路８からの水とが混合された後の湯温を検出する温度センサ１６、および水量サーボ弁１８が設けられている。また、熱交換器２に対しては、これを加熱するガス燃焼式のバーナ２０が配置されている。
【００２６】
追焚回路Ｂは、浴槽Ｅの湯水を循環しつつ追い焚きするもので、浴槽Ｅに両端が接続され循環路２２の途中に、追焚用の熱交換器２４、強制循環用の循環ポンプ２６が設けられ、循環ポンプ２６の上流側に浴槽の水位を検出する水位センサ２８が、循環ポンプ２６よりも下流側の熱交換器２４に至る途中位置には、循環水流の有無に応じてオン・オフする水流スイッチ２９および、浴槽Ｅの湯温ＴＦを検出する湯温検出手段としての温度センサ３０がそれぞれ配置されている。また、追焚用の熱交換器２４に対しては、これを加熱するガス燃焼式のバーナ３２が設けられている。なお、循環路２２の吸入口２２ａと還流口２２ｂとは、浴槽Ｅとの接続部位において二重管構造とされているが、それらを浴槽Ｅに対して別々に接続させるようにしてもよい。
【００２７】
風呂落込回路Ｃは、上記の給湯回路Ａと追焚回路Ｂとの間を連結して湯水を浴槽Ｅに落とし込むためのもので、その一方端が給湯回路１の出湯路６の水量サーボ弁１８よりも下流側に、他方端が循環ポンプ２６よりも上流側にそれぞれ接続されている。そして、風呂落込回路Ｃの途中位置には、バキュームブレイカ３４、電磁開閉式の落込弁３６、および逆止弁３８が順次設けられている。
【００２８】
コントローラＤは、たとえばマイクロコンピュータで構成されるもので、下記するリモコン装置Ｆからの入力データ、および給湯回路Ａ、追焚回路Ｂおよび風呂落込回路Ｃに設けられた温度センサ１２、１６、３０、水量センサ１４、水位センサ２８、水流スイッチ２９からの検出信号に基づいて、各弁１０，１８，３６や循環ポンプ２６の各可動部の動作を制御するとともに、各バーナ２０、３２の燃焼制御を行うものである。
【００２９】
リモコン装置Ｆは、コントローラＤに対して、浴槽Ｅへの湯張り運転、追焚運転等の各種のモードや、給湯時や入浴時の所望の設定湯温Ｔｓなどを設定入力するためのものであって、その操作パネル上には現在の湯温を即座に上昇させたいときに操作する追焚スイッチ５０および、自動的に落とし込みや保温追い焚きをさせたいときに操作する自動運転スイッチ５１を含む各種のスイッチ類が配置されている。
【００３０】
特に、本例のコントローラＤは、後述のように、リモコン装置Ｆの追焚スイッチ５０からの指令に応答して、追焚燃焼を開始してから所定時間の経過後に追焚温度制御に移行するシーケンスを実行するようにプログラムされており、第１異常対処部４０および、第２異常対処部４２を有する。
【００３１】
第１異常対処部４０は、追焚指令の入力後において水流スイッチ２９のオフの経過時間を積算し、積算値が所要の基準値を超えたときに、半没状態（浴槽Ｅの水位が循環路２２の吸入口２２ａの上端付近かそれよりも若干低い状態）が原因の異常事態発生として半没状態から完没状態（浴槽の水位を循環路２２の吸入口２２ａの上端よりも確実に高い状態）とするべく給湯運転を実行させるものである。
【００３２】
第２異常対処部４２は、追焚運転での燃焼開始時点から燃焼中止時点までの経過時間を積算し、積算値が所要の基準値を超えたとき、追焚温度制御に移行するものである。
【００３３】
次に、上記構成の自動風呂装置の追焚スイッチ５０を操作した場合の追焚運転の動作について、図２に示すフローチャートを参照して説明する。
【００３４】
いま、リモコン装置Ｆの追焚スイッチ５０が操作された場合には（ステップ１）、まず、第１〜第３積算タイマＴ１，Ｔ２，Ｔ３をリセットし（ステップ２）、浴槽Ｅに接続された循環路２２の途中に配置された循環ポンプ２６を起動して浴槽Ｅの湯水の循環（図１の実線矢印参照）を開始する（ステップ３）。
【００３５】
そして、追焚用のバーナ３２を着火して追焚燃焼を開始する前に、水流スイッチ２９がオンであるか否かを判別する（ステップ４）。この水流スイッチ２９は、浴槽水の水位が半没状態のときに、オン・オフを繰り返すことがある。この水流スイッチ２９のオン・オフの繰り返しが発生すると、追焚用のバーナ３２の着火、消火を繰り返すという異常事態が発生する。
【００３６】
このステップ４で水流スイッチ２９がオフの場合には、ステップ５〜１１の流れへ、一方、水流スイッチ２９がオンの場合には、ステップ１２〜１４の流れへ進む。
【００３７】
前者のステップ５〜１１は、浴槽水の水位が半没状態となっていることが原因で異常事態が発生しているのか、あるいは循環ポンプ異常や浴槽Ｅの排水栓が抜かれたための極端な浴槽水不足が原因で異常事態が発生しているのかを調べて、これらの異常事態が発生しているときにはそれらを回避するように処理するためのものである。すなわち、ステップ５で水流スイッチ２９のオフの経過時間を積算する第１、第２積算タイマＴ１，Ｔ２を起動する。なお、第１積算タイマＴ１は、例えば１分間に、第２積算タイマＴ２は、例えば５分間にそれぞれ設定され、Ｔ１＜Ｔ２の関係とされる。第１積算タイマＴ１がタイムアップしたか否かを判定する（ステップ６）。この第１積算タイマＴ１がタイムアップしたときの１回だけ（ステップ７）は、循環ポンプ２６を停止して（ステップ８）、半没状態を解消するだけの足し湯（例えば１０リットル）を行ってから（ステップ９）、ステップ３へ戻るが、第１積算タイマＴ１がタイムアップしていないときまたはタイムアップしていても足し湯処理を１回行っているとき（ステップ７）には、第２積算タイマＴ２がタイムアップしたか否かを判定する（ステップ１０）。この第２積算タイマＴ２がタイムアップしたときには、循環ポンプ２９の異常あるいは足し湯処理を行っても浴槽Ｅの浴槽水水位が不十分であるとして追焚運転が危険であると判断して強制終了する（ステップ１１）が、タイムアップしていないときには、ステップ４へ戻る。なお、前述のステップ９の足し湯処理は、浴槽水の水位が半没状態となっていることが原因の異常事態発生とみなして、半没状態から完没状態とするように異常事態を解消するためのものである。この足し湯処理の場合、図１の破線矢印となり、追焚運転時の循環路２２の吸入側を浴槽Ｅへの落とし込み路としている。
【００３８】
後者のステップ１２〜１４は、浴槽水の水位が十分であるとして、燃焼を開始させるためのものである。すなわち、ステップ１２で第１、第２積算タイマＴ１，Ｔ２による積算を停止させ、追焚用バーナ３２を着火し（ステップ１３）、燃焼開始時点から燃焼中止時点までの経過時間を積算する第３積算タイマＴ３を起動する（ステップ１４）。なお、第３積算タイマＴ３は、例えば３０秒間に設定される。
【００３９】
このようにして、燃焼が開始された後は、再度、ステップ４と同様に、水流スイッチ２９がオンであるか否かを判別する（ステップ１５）。ここで、水流スイッチ２９がオフの場合には、ステップ１６〜１８の流れへ、一方、水流スイッチ２９がオンの場合には、ステップ１９〜２２の流れへ進む。
【００４０】
前者のステップ１６〜１８は、浴槽水の水位が半没状態となっていることが原因で異常事態が発生しているときでも、ステップ４で水流スイッチ２９がオンしたために一旦燃焼制御を開始しているので、この燃焼を中止するためのものである。すなわち、ステップ１６で第１、第２積算タイマＴ１，Ｔ２を起動し、追焚用バーナ３２を消火し（ステップ１７）、第３積算タイマＴ３による積算を停止させて（ステップ１８）、ステップ４へ戻る。
【００４１】
後者のステップ１９〜２２は、目標温度に焚き上げる追焚温度制御に関する処理である。すなわち、ステップ１９で第３積算タイマＴ３がタイムアップしたか否かを判定する。この第３積算タイマＴ３がタイムアップしていないときには、ステップ１５へ戻りタイムアップするのを待つが、タイムアップしたときには、温度センサ３０からの検出出力（現在湯温）を取り込んでこの出力が所要の目標湯温以上か未満かを判定する（ステップ２０）。目標湯温未満であるときには、ステップ１５へ戻る一方、目標温度に達すると、追焚用バーナ３２を消火して（ステップ２１）、循環ポンプ２９を停止して（ステップ２２）、追焚運転を終了する。
【００４２】
このように、追焚運転が要求されたときに、浴槽Ｅの水位が半没状態のように不安定な場合には、半没状態を解消して追焚運転をし直すか、あるいは燃焼のオン・オフ繰り返しを許容しながらも湯温の異常上昇を阻止して安全を確保するかを、選択的に行えるようにしている。つまり、いずれにしても、追焚指令がされると、追焚そのものの目的を安全を確保しながら達成できるようになる。
【００４３】
なお、本発明は、上記実施例のみに限定されず、下記するような諸々の変形、応用が考えられる。
【００４４】
（１）  コントローラＤを、第１異常対処部４０と第２異常対処部４２の両方を有する構成とはせず、いずれか一方のみを有する構成とすることができる。但し、コントローラＤが第２異常対処部４２のみを有する構成である場合には、自動風呂装置としては給湯回路Ａおよび浴槽落とし込み回路Ｃを省略した構成とすることができる。
【００４５】
（２）  上記実施例は、入浴者の要求に応じて或る湯温にまで追い焚きする場合についての例であるが、別の自動風呂装置として、浴槽Ｅへの湯の自動落とし込み後の保温運転において所定時間間隔ごとの自動追い焚きを行うように構成する場合、例えばリモコン装置Ｆの自動運転スイッチ５１を操作した場合、保温運転での自動追い焚きシーケンスに、前述の第１異常対処部４０や第２異常対処部４２のいずれか一方または両方を備えるように構成することができる。
【００４６】
（３）  浴槽Ｅに貯溜される浴槽水の量を一定に保つために不足量を落とし込むことができる構成を持つ自動風呂装置では、ステップ９の足し湯処理の足し湯量を一定量（例えば１０リットル）ではなく、不足量としてもよい。そして、循環ポンプ２６の異常や浴槽Ｅの排水栓忘れを別に検知し、別途安全動作する構成をもっていれば、第２積算タイマを省略し、ステップ１０，１１を省略して、ステップ６からステップ４に戻るようにしてもよい。
【００４７】
（４）追焚運転での目標温度としては、設定温度Ｔｓや、設定温度Ｔｓから１℃または２℃だけ高くした値や、現在の湯温ＴＦから１℃または２℃だけ高くした値のいずれを選択設定してもよい。
【００４８】
【発明の効果】
本発明によれば、次の効果を奏する。
【００４９】
第１の自動風呂装置では、半没状態であっても、目標温度の範囲に収めて快適に入浴できるようになるから、正常な場合の追焚運転に比べて多少時間がかかるものの、入浴者の安全を確実に確保した上で、所期の追焚運転を達成できるようになる。
【００５０】
第２の自動風呂装置では、半没状態であっても、完没状態にと適正に回復させて、適正な追焚運転を行えるようになるから、入浴者の手を煩わせたり無駄なガス燃焼を行うこともなく、比較的迅速かつ安全にして所期の追焚運転を達成できるようになる。
【００５１】
第３の自動風呂装置では、前述の第１、第２の自動風呂装置の両方の作用、効果を達成することができ、水流スイッチがオン・オフを繰り返したときに、オン（燃焼）の積算時間とオフ（非燃焼）の積算時間の大小によって前述の第１、第２の自動風呂装置の機能のいずれかを選択するので、異常事態を早く解消できるようになる。
【００５２】
このように、本発明では、浴槽水の水位が半没状態であっても、追焚指令がされると、追焚そのものの目的を安全を確保しながら達成できるようになる。
【図面の簡単な説明】
【図１】本発明の一実施例に係る自動風呂装置の構成図。
【図２】同装置の追焚運転の動作説明に供するフローチャート。
【符号の説明】
Ａ      給湯回路
Ｂ      追焚回路
２２      追焚回路の循環路
２２ａ    循環路の吸入口
２６      追焚回路の循環ポンプ
２９      追焚回路の水流スイッチ
３０      追焚回路の温度センサ
３２      追焚回路のバーナ
Ｃ      風呂落込回路
Ｄ      コントローラ
４０      コントローラの第１異常対処部
４２      コントローラの第２異常対処部
Ｅ      浴槽
Ｆ      リモコン装置
５０      リモコン装置の追焚スイッチ
【図１】
0003550752.tif 000002
【図２】
0003550752.tif 000003